【手続補正書】
【提出日】平成19年11月19日(2007.11.19)
【手続補正１】
【補正対象書類名】特許請求の範囲
【補正対象項目名】請求項１２
【補正方法】変更
【補正の内容】
【請求項１２】
前記一つ以上の熱の供給は、その熱の熱源泉からの熱流体が直接的に導通することにより行われる、請求項６記載の燃料電池システム。
【手続補正２】
【補正対象書類名】特許請求の範囲
【補正対象項目名】請求項１３
【補正方法】変更
【補正の内容】
【請求項１３】
前記一つ以上の熱の供給は、その熱の熱源泉からの熱流体をスタック冷却排水と熱交換を行ってから行う間接的な導通によって行われる、請求項６記載の燃料電池システム。
【手続補正３】
【補正対象書類名】特許請求の範囲
【補正対象項目名】請求項１４
【補正方法】変更
【補正の内容】
【請求項１４】
前記制御部の制御定数は、複数の運転モードに対応して複数設定可能である、請求項５記載の燃料電池システム。
【手続補正４】
【補正対象書類名】特許請求の範囲
【補正対象項目名】請求項１５
【補正方法】変更
【補正の内容】
【請求項１５】
前記制御部は、使用状況における最適な制御定数を学習して制御を行う、請求項５記載の燃料電池システム。
【手続補正５】
【補正対象書類名】明細書
【補正対象項目名】００３２
【補正方法】変更
【補正の内容】
【００３２】
また、第２の本発明は、前記制御部は、前記電解質膜において前記ガスの含む水蒸気がフラッディングを起こさないように前記ガスの含む水蒸気量を制御する、第１の本発明の燃料電池システムである。
【手続補正６】
【補正対象書類名】明細書
【補正対象項目名】００３３
【補正方法】変更
【補正の内容】
【００３３】
また、第３の本発明は、前記制御部は、前記ガス流路溝と前記ガス加湿部との間に設けられ、前記複数の積層された単電池へ供給する前記ガスの水蒸気量の調整を行うためのバッファ機構部を有し、
前記バッファ機構部は、
水分を備蓄する備蓄部と、
前記備蓄部によって備蓄されている水分を加熱するための加熱部と、
前記備蓄されている水分の温度を検知する温度検知部と、
前記水分の温度を、前記ガス流路溝の電極入り口部における温度よりも高い温度に保つように前記加熱部の制御を行い、前記水分を再気化して、前記少なくとも一つの電極に供給する供給制御部とを有する、第１の本発明の燃料電池システムである。
【手続補正７】
【補正対象書類名】明細書
【補正対象項目名】００３５
【補正方法】変更
【補正の内容】
【００３５】
また、第５の本発明は、前記バッファ機構部は、水分を備蓄する備蓄部と、
前記備蓄部によって備蓄されている水分を加熱するための加熱部と、
前記備蓄されている水分の温度を検知する温度検知部と、
前記水分の温度を、前記ガス流路溝の電極入り口部における温度よりも高い温度に保つように前記加熱部の制御を行い、前記水分を再気化して、前記少なくとも一つの電極に供給する制御部とを有する、第４の本発明の燃料電池システムである。
【手続補正８】
【補正対象書類名】明細書
【補正対象項目名】００３６
【補正方法】変更
【補正の内容】
【００３６】
また、第６の本発明は、前記備蓄部は、前記バッファ機構部の内部温度における飽和水蒸気量を超えて前記ガス供給部から供給される水蒸気を凝縮させる熱量制御を行い、
前記制御部は、
（１）改質機の廃熱
（２）前記改質機から前記スタックへ供給される前記燃料ガスの熱
（３）燃料を燃焼させることによって得られる熱
（４）前記スタックから排出される残存燃料ガスを燃焼させることにより得られる熱  
（５）前記スタックから排出される冷却水の廃熱
のいずれかの熱のうち、少なくとも一つ以上の熱を熱源として用いることにより凝縮された前記水蒸気を気化する、第５の本発明の燃料電池システムである。
【手続補正９】
【補正対象書類名】明細書
【補正対象項目名】００３７
【補正方法】変更
【補正の内容】
【００３７】
また、第７の本発明は、前記燃料または前記スタックから排出される残存燃料ガスを燃焼させることにより得られる熱は、改質機バーナーから得られる、第６の本発明の燃料電池システムである。
【手続補正１０】
【補正対象書類名】明細書
【補正対象項目名】００３８
【補正方法】変更
【補正の内容】
【００３８】
また、第８の本発明は、前記燃料または前記スタックから排出される残存燃料ガスを燃焼させることにより得られる熱は、改質機バーナー以外の専用燃焼機から得られる、第６の本発明の燃料電池システムである。
【手続補正１１】
【補正対象書類名】明細書
【補正対象項目名】００３９
【補正方法】変更
【補正の内容】
【００３９】
また、第９の本発明は、前記制御部は、前記スタックに対する供給水蒸気量を検知する検知信号に基づき、前記バッファ機構部に導入する前記一つ以上の熱の熱量制御を行うことにより、前記ガス流路溝に供給されるガスの含む水蒸気量が、前記ガス拡散電極において最初に前記ガスが消費される場所の前記ガス流路溝入口部における温度での飽和水蒸気量よりも多くなるように制御する、第６の本発明の燃料電池システムである。
【手続補正１２】
【補正対象書類名】明細書
【補正対象項目名】００４０
【補正方法】変更
【補正の内容】
【００４０】
また、第１０の本発明は、前記制御部は、前記一つ以上の熱の熱量制御を、熱媒体量の制御によって行う、第９の本発明の燃料電池システムである。
【手続補正１３】
【補正対象書類名】明細書
【補正対象項目名】００４１
【補正方法】変更
【補正の内容】
【００４１】
また、第１１の本発明は、前記制御部による前記一つ以上の熱の熱量制御は、前記改質機または専用燃焼機の燃焼量制御を含む、第９の本発明の燃料電池システムである。
【手続補正１４】
【補正対象書類名】明細書
【補正対象項目名】００４２
【補正方法】変更
【補正の内容】
【００４２】
また、第１２の本発明は、前記一つ以上の熱の供給は、その熱の熱源泉からの熱流体が直接的に導通することにより行われる、第６の本発明の燃料電池システムである。
【手続補正１５】
【補正対象書類名】明細書
【補正対象項目名】００４３
【補正方法】変更
【補正の内容】
【００４３】
また、第１３の本発明は、前記一つ以上の熱の供給は、その熱の熱源泉からの熱流体をスタック冷却排水と熱交換を行ってから行う間接的な導通によって行われる、第６の本発明の燃料電池システムである。
【手続補正１６】
【補正対象書類名】明細書
【補正対象項目名】００４４
【補正方法】変更
【補正の内容】
【００４４】
また、第１４の本発明は、前記制御部の制御定数は、複数の運転モードに対応して複数設定可能である、第５の本発明の燃料電池システムである。
【手続補正１７】
【補正対象書類名】明細書
【補正対象項目名】００４５
【補正方法】変更
【補正の内容】
【００４５】
また、第１５の本発明は、前記制御部は、使用状況における最適な制御定数を学習して制御を行う、第５の本発明の燃料電池システムである。
【手続補正１８】
【補正対象書類名】明細書
【補正対象項目名】００４６
【補正方法】変更
【補正の内容】
【００４６】
また、第１６の本発明は、前記ガス流路溝に前記ガスを供給するためのガス入口マニホールドを備え、
前記バッファ機構部は、前記ガス入口マニホールドと直結して配置されている、第４の本発明の燃料電池システムである。
【手続補正１９】
【補正対象書類名】明細書
【補正対象項目名】００４７
【補正方法】変更
【補正の内容】
【００４７】
また、第１７の本発明は、前記ガス流路溝に前記ガスを供給するためのガス入口マニホールドを備え、
前記バッファ機構部は、前記ガス入口マニホールド内に設けられている、第４の本発明の燃料電池システムである。
【手続補正２０】
【補正対象書類名】明細書
【補正対象項目名】００４８
【補正方法】変更
【補正の内容】
【００４８】
また、第１８の本発明は、前記スタックと前記バッファ機構部は一括断熱されている、第４の本発明の燃料電池システムである。
【手続補正２１】
【補正対象書類名】明細書
【補正対象項目名】００５１
【補正方法】変更
【補正の内容】
【００５１】
また、第２１の本発明は、第１の本発明の燃料電池システムの、前記ガス流路溝に供給される前記ガスの含む水蒸気量が、前記ガス拡散電極において最初に前記ガスが消費される場所の前記ガス流路溝入口部における温度での飽和水蒸気量よりも多くなるように制御を行う制御部としてコンピュータを機能させるためのプログラムである。
【手続補正２２】
【補正対象書類名】明細書
【補正対象項目名】００５２
【補正方法】変更
【補正の内容】
【００５２】
また、第２２の本発明は、第２１の本発明のプログラムを記録した記録媒体であって、コンピュータにより処理可能な記録媒体である。